(57)【特許請求の範囲】
【請求項１】
凸部を有する平面部を有するブロー成形品の前記凸部より小さな穴部を前記凸部上の略中心部に、ブロー成形後に型内で刃付工具により開けることを特徴とするブロー成形品の製造方法であって、
パリソンが分割金型の壁面に押圧されて密着されるようにエアブローすることにより凸部を有する中空体を形成するとともに、
刃付工具を中空体内部方向へと前進させることにより透孔をあけ、
刃付工具を中空体の内部に突き刺した状態のままエアを吹き込み冷却固化させた後、
刃付工具を後退させて中空体から離脱させること
を特徴とするブロー成形品の製造方法。
【請求項２】
前記刃付工具は、ブロー成形前の初期位置が前記型のキャビティ内部に位置することを特徴とする請求項１記載のブロー成形品の製造方法。
【請求項３】
前記穴部は、前記凸部外周の形状を縮小した形状であることを特徴とする請求項１又は２記載のブロー成形品の製造方法。
【発明の詳細な説明】
【技術分野】
【０００１】
本発明は、側壁部などに穴部を有するブロー成形品およびその製造方法に関する。
【背景技術】
【０００２】
図４に衝撃吸収体の一例を示す。車両用衝撃吸収体２は、バンパーフェイシア３とバンパービーム４の間に備えられ、バンパーフェイシア３側から受けた衝撃を吸収する構成となっている。なお、図５は、車両用衝撃吸収体２の断面図である。
【０００３】
このような樹脂製の衝撃吸収体においては、中空成形（ブロー成形）により製造されている。以下、ブロー成形について図６，７を参照して説明する。
【０００４】
押出ヘッド５からパリソン６が射出され始め、分割金型７の下端に達してから分割金型を型締めする。この時点ではパリソン６は、両側に配置された金型から押さえつけられただけの状態なので、特に凹凸付近などが分割金型７に密着していない。次に、この状態からパリソン内部にエアーを吹き込むことによって該パリソンを膨張させて型に沿うようにして成形される。
【０００５】
上記の如く成形された成形品は、全体を略均等な肉厚に形成することができ、良好な衝撃吸収性を得ることができる。
【０００６】
このような成形品において、水抜けのためや各種部品を取り付けるための透孔を有するものがある。ブロー成形品に透孔を形成するためには、ブロー成形後、凸部先端の切除やドリルなどを用いた２次加工にて穴を開けていた。これにより、穴の周囲の良好な面粗度を得ていた。しかしながら、ブロー成形後に２次加工を行う方法では、製造工程が多く、時間およびコストを浪費することになっていた。
【０００７】
そこで、他の方法としてはブロー成形時に穴あけ加工を行う技術が知られている。しかしながら、ブロー成形時にそのまま穴をあけると面粗度が悪化するという問題がある。
【０００８】
そこで例えば特許文献１には、ブロー成形により製造されるタンクにおいて、ブロー成形によって成形する際に、面粗度を悪化させることなく、ブロー成形の型内で成形とともに穴あけを行う技術について開示されている。
【０００９】
特許文献１では、穴を設ける部分の型を凸部形状としており、型締め後にパリソンを膨張させたときに該凸部形状により形成される中空体の凹部を、刃付工具によって穴あけをすることによって、平面部にそのまま穴あけを行ったときにおこる面粗度悪化を防止している。
【先行技術文献】
【特許文献】
【００１０】
【特許文献１】特開平１１−１７０３５１号公報
【発明の概要】
【発明が解決しようとする課題】
【００１１】
しかしながら、特許文献１に示された技術では、ブロー成形により得られた中空体の凹部形状の部分に穴あけを行うことで、穴部周囲の面粗度悪化を防止できるが、穴あけを行う際の刃付工具の押圧力によって凹部周囲の樹脂が引張られることになり、所望する良好な形状を得ることが困難である。
【００１２】
そこで、本発明は上記問題点に鑑みてなされたものであり、穴部周辺の壁面の平滑度を良好に保つブロー成形品およびその製造方法を提供することを目的とする。
【課題を解決するための手段】
【００１３】
本発明におけるブロー成形品の製造方法は、凸部を有する平面部を有するブロー成形品の前記凸部より小さな穴部を前記凸部上の略中心部に、ブロー成形後に型内で刃付工具により開けることを特徴とするブロー成形品の製造方法であって、パリソンが分割金型の壁面に押圧されて密着されるようにエアブローすることにより凸部を有する中空体を形成するとともに、刃付工具を中空体内部方向へと前進させることにより透孔をあけ、刃付工具を中空体の内部に突き刺した状態のままエアを吹き込み冷却固化させた後、刃付工具を後退させて中空体から離脱させることを特徴とする。
【００１４】
前記穴部は、前記凸部外周の形状を縮小した形状であることを特徴とする。
【発明の効果】
【００１６】
本発明によれば、側壁面の平滑度に影響を与えずに穴を開けることができる。
【図面の簡単な説明】
【００１７】
【図１】本発明の実施形態に係る衝撃吸収体の断面図である。
【図２】本発明の実施形態に係る衝撃吸収体の製造方法を示す断面図である。
【図３】Ｂ−Ｂ断面図である。
【図４】バンパーの構成図である。
【図５】衝撃吸収体の断面図である。
【図６】ブロー成形の説明図（その１）である。
【図７】ブロー成形の説明図（その２）である。
【発明を実施するための形態】
【００１８】
以下、本発明の実施形態について図面を参照して詳細に説明する。
【００１９】
図１は、本発明の実施形態における衝撃吸収体１０の断面図である。なお、図１（ｂ）は、図１（ａ）に示す衝撃吸収体１０のＡ−Ａ断面図を示す。衝撃吸収体１０は、樹脂をブロー成形して製造される。樹脂としては、例えばオレフィン系の樹脂が用いられるが、特に限定されることなく、各樹脂を適宜用いることができる。
【００２０】
衝撃吸収体１０は、エアーを吹き込んだ穴などから進入した水を排出するための穴部３０を複数有して構成される。また、穴部３０は、凸凹がなく平滑な平面部２０上に設けられる。
【００２１】
穴部３０は、平面部２０から凸形状となるように設けられた凸部３１を有し、該凸部３１上に凸部３１の外周より小さい透孔３２が設けられる。また、透孔３２は、好ましくは凸部３１の外周における形状と同様の形状にて、凸部３１の略中央に設けられる。
【００２２】
このように、平面部２０上に刃付工具７０を前進させる向きと反対方向に突出した凸部３１を形成し、凸部３１上に透孔３２をあけることで、刃付工具７０を前進させる際に凸部３１がリブの役割を果たし、穴部３０の周囲の平面部２０が刃付工具７０の押圧力に引張られることを防止することができる。また、凸部が金型キャビティに保持され、周囲のパリソンの変形を抑えることができる。
【００２３】
なお、透孔３２の形状を凸部３１の外周と同様の形状とすることにより、穴部３０を最小面積に抑えることが可能である。
【００２４】
次に、図２及び図３を参照して本発明の実施形態における衝撃吸収体１０の穴部３０の製造方法について詳細に説明する。図２は、押出ヘッド４０から押し出されたパリソン５０を分割金型６０で型締めし、エアブローを行った後の模式的な断面図である。また、図３は、図２のＢ−Ｂ断面図である。
【００２５】
分割金型６０は、平面部２０を形成するための平面形状６１と、凸部３１を形成するための凹形状６２と、透孔３２を形成する刃付工具７０のための工具孔６３と、を有して構成される。なお、工具孔６３と刃付工具７０との径は、隙間がないように略同一であることが好ましい。
【００２６】
型締めされたパリソン５０は、分割金型６０の壁面に押圧されて密着するようにエアブローされ中空体（衝撃吸収体１０）が形成される。なお、このときのエアブロー時間は、衝撃吸収体１０が完全に冷え固まらない程度である。
【００２７】
その後、図３に示すような刃先部７１を有する刃付工具７０を中空体内部方向へと前進させる。これにより、衝撃吸収体１０に透孔３２があけられる。
【００２８】
刃付工具７０を衝撃吸収体１０内部へと前進させて、凸部３１に透孔３２を形成した後は、刃付工具７０を衝撃吸収体１０の内部に突き刺した状態のままエアーを吹き込むなどして樹脂が冷え固まるまで冷却を行う。
【００２９】
冷却後、先ほどとは逆方向へと刃付工具７０を後退させ、衝撃吸収体１０から離脱させる。
【００３０】
なお、透孔３２をあけるための刃先部７１の刃先の角度は、好ましくは３０°未満である。本構成により、凸部３１の形状を崩すことなく、良好に透孔３２をあけることができる。
【００３１】
また、ブロー前の刃付工具７０の初期位置は、図２に示すようにキャビティより外側にあっても良いし、より好ましくは、キャビティより内部に少し突出させておくことが良い。キャビティより内部に突出させた位置で待機させておくことで、ブローされた中空体は、凸部３１の中央部が刃付工具７０に沿って凹部形状となり、刃付工具７０による穴あけ時に抵抗力が小さくなり穴あけが容易となり、周囲の樹脂が穴あけ時に引張られることをさらに防止することができる。
【００３２】
また、刃先部７１の形状は円錐形に限定されることはなく、例えば刃付工具の外周円に沿って刃を設けて樹脂を切除するような構成にしても良い。
【００３３】
本発明の実施形態における衝撃吸収体によれば、平面部に凸部を形成し、ブロー成形時に該凸部上に穴をあけることにより、平面部の平滑度に影響を与えることなく、透孔を設けることができる。
【００３４】
また、２次加工にて穴あけを行うのに比べて工数を減らすことができるため、時間及びコストを削減することができる。さらには、２次加工にてブロー成形品の凸部を切除して透孔を形成するような方法を行っている場合には、既存の金型を改良して用いることができる。
【００３５】
以上、図面を参照して本発明の実施形態について述べたが、各実施の形態に限定されず、本発明の技術思想の範囲内において、上記以外の様々な形態へ適宜変更可能である。
【産業上の利用可能性】
【００３６】
ブロー成形品において、特に自動車のバンパーに備えられる衝撃吸収体、衝撃時の変形による内部の空気圧の変化を利用して衝撃の程度を検知する圧力検知センサ、などのブロー成形品に適用可能である。
【符号の説明】
【００３７】
１０  衝撃吸収体
２０  平面部
３０  穴部
３１  凸部
３２  透孔
４０  押出ヘッド
５０  パリソン
６０  分割金型
７０  刃付工具
【図１】
0005410206.tif 000002
【図２】
0005410206.tif 000003
【図３】
0005410206.tif 000004
【図４】
0005410206.tif 000005
【図５】
0005410206.tif 000006
【図６】
0005410206.tif 000007
【図７】
0005410206.tif 000008